(57)【要約】【課題】ＣＭ中に番組名等を表示するテレビジョン受像機を提供することを目的とする。【解決手段】多重分離部により分離された番組情報を取得し（ステップｓ１）、表示する映像がＣＭであるか判定し（ステップｓ２）、ＣＭであると判定した時刻が番組切換の時間帯であるか判断し（ステップｓ３）、番組切換の時間帯であれば次の番組名等を映像データに合成して出力表示し（ステップｓ４、ステップｓ６）、番組切換の時間帯でなければ現在の番組名等を映像データに合成して出力表示する（ステップｓ５、ステップｓ６）。またＣＭでないと判定した映像データは番組名等を合成せずに表示する（ステップｓ２のＮｏ、ステップｓ６）。【選択図】図３
2009124325.tif 000002
【特許請求の範囲】
【請求項１】
多重化されたテレビジョン放送波から放送信号を選局して受信する受信手段と、受信手段が受信した放送信号を映像データと音声データと番組情報とに分離する分離手段と、映像を表示する表示手段とを具備するテレビジョン受像機であって、
前記分離手段が分離した前記映像データ又は前記音声データ又は前記番組情報の少なくともいずれかに基づいて前記映像データがＣＭであるか否かを判定するＣＭ検出手段と、
前記ＣＭ検出手段がＣＭであると判定した場合に、表示する前記映像データに前記番組情報の一部の情報を合成した映像信号を作成する合成手段と、を具備し、
前記合成手段が作成した前記映像信号を表示手段が表示することを特徴とするテレビジョン受像機。
【請求項２】
前記受信手段は、前記放送信号を選局するチャンネル切換手段を備え、
前記ＣＭ検出手段は、前記チャンネル切換手段によるチャンネル切換時または前記テレビジョン受像機の電源投入時の少なくともいずれかにおいて、ＣＭであるか否かを判定することを特徴とする請求項１に記載のテレビジョン受像機。
【請求項３】
前記ＣＭ検出手段は、ＣＭであると判定した場合に、前記合成手段に予め設定された時間だけ前記映像信号を合成することを指示することを特徴とする請求項１又は２に記載のテレビジョン受像機。
【請求項４】
前記ＣＭ検出手段は、予め設定された時間帯に表示する前記映像データをＣＭであると判定することを特徴とする請求項１乃至３のいずれか１項に記載のテレビジョン受像機。
【請求項５】
前記ＣＭ検出手段は、前記番組情報から次番組の番組開始時刻を取得し、前記次番組の番組開始時刻から予め設定された時間遡った時間帯に表示する前記映像データをＣＭであると判定することを特徴とする請求項１乃至４のいずれか１項に記載のテレビジョン受像機。
【請求項６】
前記ＣＭ検出手段は、前記番組情報から番組の出力形式を取得し、取得した前記番組の出力形式と前記テレビジョン受像機の出力形式とが異なる場合に、前記映像データをＣＭであると判定することを特徴とする請求項１乃至５のいずれか１項に記載のテレビジョン受像機。
【請求項７】
前記ＣＭ検出手段は、番組とＣＭとを区別可能なＣＭ判別情報に基づいて前記映像データをＣＭであると判定することを特徴とする請求項１乃至６のいずれか１項に記載のテレビジョン受像機。
【請求項８】
前記ＣＭ検出手段は、前記次番組の番組開始時刻から予め設定された時間遡った時間帯に表示する前記映像データがＣＭである場合に、次番組の番組情報の合成を前記合成手段に指示し、それ以外の時間帯に表示する前記映像データがＣＭである場合に、現在番組の番組情報の合成を前記合成手段に指示することを特徴とする請求項１乃至７のいずれか１項に記載のテレビジョン受像機。
【請求項９】
多重化されたテレビジョン放送波から放送信号を選局して受信する受信ステップと、受信ステップが受信した放送信号を映像データと音声データと番組情報とに分離する分離ステップと、映像を表示する表示ステップとを具備する放送映像表示方法であって、
前記分離ステップが分離した前記映像データ又は前記音声データ又は前記番組情報の少なくともいずれかに基づいて前記映像データがＣＭであるか否かを判定するＣＭ検出ステップと、
前記ＣＭ検出ステップがＣＭであると判定した場合に、表示する前記映像データに前記番組情報の一部の情報を合成した映像信号を作成する合成ステップと、を具備し、
前記映像信号を表示ステップで表示することを特徴とする放送映像表示方法。
【発明の詳細な説明】
【技術分野】
【０００１】
本発明は放送される映像の種類に応じて番組名等を表示するテレビジョン受像機に関する。
【背景技術】
【０００２】
テレビジョン放送では、番組と番組の間あるいは番組切換の時間帯にＣＭ（コマーシャルメッセージ）とが放送されることが一般的である。ＣＭとして放送される内容は番組と関係ないものが多いため、視聴者はＣＭ中の映像からＣＭ後に放送される番組を窺い知ることができなかった。そのため、電源投入時や、チャンネル切換時、番組切換の時間帯等に、視聴者はＣＭ後に放送される番組名等を知るためにＥＰＧ（電子番組案内）を表示させたり、新聞等で番組情報欄を確認したり、番組の開始までＣＭが終わるのを待ったりすることがあった。
【０００３】
近年のデジタル放送において、視聴者はＥＰＧを基に番組名等を知ることができるので、常にＥＰＧをテレビ画面上に表示させておくことができる。特許文献１は、ＥＰＧの表示が番組映像の視聴を妨げないように、ＥＰＧを表示画面の下部に横書き１行で表示させる技術である。
【特許文献１】特開2002-271710号公報
【発明の開示】
【発明が解決しようとする課題】
【０００４】
しかし、特許文献１に開示の技術のように、横書き１行であっても番組映像と直接関係のない情報がテレビ画面上に表示されることは視聴に際して邪魔であることが多い。また、番組とＣＭとの切り換わりの都度、ＥＰＧを表示非表示にする操作を行うことも面倒な場合がある。
【０００５】
本発明は上記課題に鑑みてなされたものであり、上記課題を解決することを目的とする。
【課題を解決するための手段】
【０００６】
請求項１に記載の発明は、多重化されたテレビジョン放送波から放送信号を選局して受信する受信手段と、受信手段が受信した放送信号を映像データと音声データと番組情報とに分離する分離手段と、映像を表示する表示手段とを具備するテレビジョン受像機であって、前記分離手段が分離した前記映像データ又は前記音声データ又は前記番組情報の少なくともいずれかに基づいて前記映像データがＣＭであるか否かを判定するＣＭ検出手段と、前記ＣＭ検出手段がＣＭであると判定した場合に、表示する前記映像データに前記番組情報の一部の情報を合成した映像信号を作成する合成手段と、を具備し、前記合成手段が作成した前記映像信号を表示手段が表示することを特徴とするテレビジョン受像機に存する。
請求項２に記載の発明は、前記受信手段は、前記放送信号を選局するチャンネル切換手段を備え、前記ＣＭ検出手段は、前記チャンネル切換手段によるチャンネル切換時または前記テレビジョン受像機の電源投入時の少なくともいずれかにおいて、ＣＭであるか否かを判定することを特徴とする請求項１に記載のテレビジョン受像機に存する。
請求項３に記載の発明は、前記ＣＭ検出手段は、ＣＭであると判定した場合に、前記合成手段に予め設定された時間だけ前記映像信号を合成することを指示することを特徴とする請求項１又は２に記載のテレビジョン受像機に存する。
請求項４に記載の発明は、前記ＣＭ検出手段は、予め設定された時間帯に表示する前記映像データをＣＭであると判定することを特徴とする請求項１乃至３のいずれか１項に記載のテレビジョン受像機に存する。
請求項５に記載の発明は、前記ＣＭ検出手段は、前記番組情報から次番組の番組開始時刻を取得し、前記次番組の番組開始時刻から予め設定された時間遡った時間帯に表示する前記映像データをＣＭであると判定することを特徴とする請求項１乃至４のいずれか１項に記載のテレビジョン受像機に存する。
請求項６に記載の発明は、前記ＣＭ検出手段は、前記番組情報から番組の出力形式を取得し、取得した前記番組の出力形式と前記テレビジョン受像機の出力形式とが異なる場合に、前記映像データをＣＭであると判定することを特徴とする請求項１乃至５のいずれか１項に記載のテレビジョン受像機に存する。
請求項７に記載の発明は、前記ＣＭ検出手段は、番組とＣＭとを区別可能なＣＭ判別情報に基づいて前記映像データをＣＭであると判定することを特徴とする請求項１乃至６のいずれか１項に記載のテレビジョン受像機に存する。
請求項８に記載の発明は、前記ＣＭ検出手段は、前記次番組の番組開始時刻から予め設定された時間遡った時間帯に表示する前記映像データがＣＭである場合に、次番組の番組情報の合成を前記合成手段に指示し、それ以外の時間帯に表示する前記映像データがＣＭである場合に、現在番組の番組情報の合成を前記合成手段に指示することを特徴とする請求項１乃至７のいずれか１項に記載のテレビジョン受像機に存する。
請求項９に記載の発明は、多重化されたテレビジョン放送波から放送信号を選局して受信する受信ステップと、受信ステップが受信した放送信号を映像データと音声データと番組情報とに分離する分離ステップと、映像を表示する表示ステップとを具備する放送映像表示方法であって、前記分離ステップが分離した前記映像データ又は前記音声データ又は前記番組情報の少なくともいずれかに基づいて前記映像データがＣＭであるか否かを判定するＣＭ検出ステップと、前記ＣＭ検出ステップがＣＭであると判定した場合に、表示する前記映像データに前記番組情報の一部の情報を合成した映像信号を作成する合成ステップと、を具備し、前記映像信号を表示ステップで表示することを特徴とする放送映像表示方法に存する。
【発明の効果】
【０００７】
本発明は、電源投入時や、チャンネル切換時、あるいは同じチャンネルを継続して視聴しているときにＣＭが表示された場合、ＣＭ中にＣＭ後の番組名等を表示するので、視聴者はＣＭ後の番組名等を何らの操作を伴わずに得ることができる。
【発明を実施するための最良の形態】
【０００８】
＜実施形態１＞
以下、図面を用いて本発明の実施形態１について詳細に説明する。
【０００９】
図１は、本実施形態のテレビジョン受像機Ｘの構成を示したブロック図である。
図１においてこのテレビジョン受像機Ｘは、アンテナ１と、チューナー２と、多重分離部３と、音声処理部４と、映像処理部５と、ＣＭ検出部６と、ＯＳＤ処理部７と、音声出力部８と、表示部９と、制御部１０と、記憶部１１と、Ｉ／Ｆ部１２と、リモコン１３と、を備える。
【００１０】
次に図１における各部の機能を説明する。
まず、チューナー２はアンテナ１で受信した放送波を選局して、復調、誤り訂正等の処理を行い、トランスポートストリームを多重分離部３に出力する。
多重分離部３はチューナー２から入力されたトランスポートストリームを音声データと映像データとその他番組情報を含むシステムデータとに分離して、それぞれを音声処理部４、映像処理部５、ＣＭ検出部６へ出力する。
【００１１】
音声処理部４は多重分離部３から入力された音声データを音声出力部８の出力形式へデコードして音声出力部８へ出力する。
映像処理部５は多重分離部３から入力された映像データを表示部９の出力形式へデコードして表示部９へ出力する。
ＣＭ検出部６は、多重分離部３から入力されたその他システムデータを基に、後述する検出処理によってＣＭである映像データを検出し、後述する合成指示処理によって検出した映像データに番組名等の合成をＯＳＤ処理部７に指示する。
【００１２】
また、制御部１０はマイクロプロセッサ等の演算処理装置である。制御部１０は記憶部１１に記憶されたプログラムを実行して、チューナー２と、多重分離部３と、音声処理部４と、映像処理部５と、ＣＭ検出部６と、ＯＳＤ処理部７と、音声出力部８と、表示部９と、記憶部１１と、Ｉ／Ｆ部１２との各部の動作を制御する。
記憶部１１は、ＲＯＭ（Read Only Memory）、ＲＡＭ（Random Access Memory）、ＨＤＤ（Hard Disk Drive）等の記憶装置である。
【００１３】
リモコン１３は指定されたチャンネルの選局を指示するチャンネル切換手段である。リモコン１３がチャンネル切換を指示するリモコン信号を出力すると、制御部１０はＩ／Ｆ部１２でリモコン信号を取得するように制御し、Ｉ／Ｆ部１２で取得したリモコン信号で指定されたチャンネルの放送信号を選局するようにチューナー２を制御する。
【００１４】
次にＣＭ検出部６のＣＭ検出処理について詳細する。
ＣＭ検出部６は「１．ＣＭ判別情報」、「２．所定時間帯の表示」、「３．出力形式の相違」のいずれかの情報を基にＣＭであるか否かを判定する。以下、それぞれの情報に基づくＣＭ検出処理について説明する。
【００１５】
１．「ＣＭ判別情報によるＣＭ判定」：
放送局はＰＳＩ／ＳＩ情報又は番組の映像データ若しくはＣＭの映像データのいずれか１つ以上に、番組とＣＭとを区別可能な識別情報であるＣＭ判別情報を予め付加して放送信号を送出するものとする。例えばＰＳＩ／ＳＩ情報であれば、番組とＣＭとでevent_idを変えて、ＣＭ判別情報をevent_idに付加すればよい。また映像データの場合は、ＴＳパケットのヘッダのトランスポート・プライベート・データにＣＭ判別情報を付加すればよい。
【００１６】
ＣＭ検出部６は、付加されたそのＣＭ判別情報に基づいて映像データがＣＭであるか否かを判断する。ＣＭ検出部６は、ＣＭであると判定した場合に、番組名等を映像データに合成処理した映像信号を作成するようにＯＳＤ処理部７に指示する。また、ＣＭ検出部６は、ＣＭでないと判定した場合に、番組名等の合成処理をＯＳＤ処理部７に指示しない。
【００１７】
なお、放送局は映像データにＣＭであるか番組であるかのＣＭ判別情報を付加するものとしたが、もちろん音声データにＣＭ判別情報を付加してもよい。その場合、ＣＭ検出部６はＣＭであると判定した音声データのＰＴＳと一致するＰＴＳを有する映像データを特定して、その映像データをＣＭであると判定すればよい。
【００１８】
この検出処理によれば、番組とＣＭとの時間枠を構成する放送局側が付加したＣＭ判別情報に基づいて、ＣＭの検出を行うため、確実にＣＭ中にＣＭ後の番組名等を表示することができる。
【００１９】
２．「所定時間帯の表示情報によるＣＭ判定」：
通常、ＣＭは、所定時間帯、例えば所定時刻である００分、１５分、３０分、又は４５分の前後数分の時間帯に放送されることが多い。また、所定時間帯は、番組切換の時間帯であることも多い。番組切換の時間帯とは、現在番組の番組終了時刻と次番組の番組開始時刻とが連続している場合は、次番組の番組開始時刻から予め設定された時間遡った時間帯を言い、不連続である場合は、次番組の番組開始時刻と現在番組の番組終了時刻との差の時間帯を言う。
【００２０】
ＣＭ検出部６は、所定時間帯に表示する映像をＣＭと判定する。所定時間帯の設定は、上記したように所定時刻の前後数分としてもよいし、番組切換の時間帯としてもよい。また所定時間帯は、予め記憶部１１に記憶されているものとする。ＣＭ検出部６は、記憶部１１に記憶された所定時間帯を読み出して本判定に利用する。ＣＭ検出部６は、所定時間帯とテレビジョン受像機ＸのＳＴＣ（System Time Clock）とを比較し、一致した時刻に表示する映像をＣＭと判定する。ＣＭ検出部６は、ＣＭと判定した場合に、番組名等を映像データに合成処理した映像信号を作成するようにＯＳＤ処理部７に指示する。また、ＣＭ検出部６は、ＣＭでないと判定した場合、番組名等の合成処理をＯＳＤ処理部７に指示しない。
【００２１】
この検出処理によれば、放送局側がＣＭ判別情報を付加していない番組放送であっても、ＣＭ中にＣＭ後の番組名等を表示することができる。また、特に番組切換の時間帯はどのチャンネルでもＣＭであることが多い。そのため、その所定時間帯をＣＭとして検出して番組情報を表示するよう合成指示をすることで、ＣＭ後の番組の一部を見逃さないようにＣＭ中でも待機すべきチャンネルをすばやく選局させることができる。
【００２２】
３．「出力形式の相違情報によるＣＭ判定」：
通常、完成した１つの番組内のデータは、その番組製作を通して同じ装置や設備を用いるため、番組の出力形式が統一している。この番組の出力形式は、ＰＳＩ／ＳＩ情報の番組情報から取得できる。ここで、出力形式とは、例えばアスペクト比や、解像度、音声情報等であり、番組の出力形式を特定しているものであれば何でもよい。
【００２３】
例えばアスペクト比及び解像度の場合、ＰＳＩ／ＳＩ情報からＥＩＴのコンポーネント記述子を参照すれば、番組がどのアスペクト比及び解像度で映像を表示するかの情報を取得することができる。そこで、表示する映像データのアスペクト比及び解像度を検出して、その番組放送時間内に番組のアスペクト比及び解像度と異なるアスペクト比及び解像度で表示する映像データをＣＭと判定することが可能である。
【００２４】
また、音声情報の場合、ＰＳＩ／ＳＩ情報からＥＩＴの音声コンポーネント記述子を参照すれば、モノ・ステレオ等の音声モード及びニヶ国語放送等の言語モードの情報を取得することができる。通常、例えば洋画番組の放送は、二ヶ国語放送や５．１ｃｈモードであるのに対して、その番組途中のＣＭは一ヶ国語放送であり、５．１ｃｈモードではない。そこで、出力する音声データの音声モード及び言語モードを検出して、その番組放送時間内に番組の音声モード及び言語モードと異なる音声モード及び言語モードで出力する音声データをＣＭと判定することが可能である。
【００２５】
ＣＭ検出部６は、番組の出力形式と異なる出力形式の映像又は音声を検出した場合に、そのとき表示する映像をＣＭと判定する。ＣＭ検出部６は、ＣＭと判定した場合に、番組名等を映像データに合成処理した映像信号を作成するようにＯＳＤ処理部７に指示する。また、ＣＭ検出部６は、ＣＭでないと判定した場合、番組名等の合成処理をＯＳＤ処理部７に指示しない。
【００２６】
この検出処理によれば、放送局側がＣＭ判別情報を付加していない番組放送であっても、ＣＭ中にＣＭ後の番組名等を表示することができる。また、出力形式の相違をＣＭ検出条件とするので、多チャンネル間で使い回されることが多いＣＭの検出に好適である。
【００２７】
以上のＣＭ検出処理により、ＣＭ検出部６は表示する映像がＣＭであるか否かを判定する。ＣＭ検出部６は、上記処理を組み合わせてＣＭを検出してもよいし、いずれか１つを用いてＣＭを検出してもよい。上記処理を組み合わせてＣＭを検出する場合、ＣＭ検出部６は、ＣＭ検出の精度を高めることができる。また、いずれか１つを用いてＣＭを検出する場合、ＣＭ検出部６は、処理に負荷をかけずに速い処理速度でＣＭ検出をすることができる。また、ＣＭの検出処理は上述する以外の公知の技術を用いることも可能である。
【００２８】
次に、ＣＭ検出部６の合成指示処理について説明する。
【００２９】
ＣＭ検出部６は、上記検出処理によってＣＭであると判定した場合に、ＯＳＤ処理部７へ番組名等の合成を指示する。ここで、放送されるＣＭは、番組の間に放送されるものと、番組切換の時間帯に放送されるものとに分けられる。そこでＣＭ検出部６は、ＣＭ後に放送される番組名等の合成処理をＯＳＤ処理部７に指示するために、ＣＭであると判定した時刻が番組切換の時間帯にあるかを判断する。ＣＭ検出部６は、番組切換の時間帯であると判断した場合、次の番組名等を合成処理するようにＯＳＤ処理部７へ指示し、番組切換の時間帯でないと判断した場合、現在の番組名等を合成処理するようにＯＳＤ処理部７へ指示する。
【００３０】
この合成指示処理によって、現在の時間帯に放送されている番組名等ではなく、ＣＭの終了後に放送される番組名等を合成して表示することができる。
【００３１】
以上のＣＭ検出処理及び合成指示処理によって、ＣＭ検出部６は、ＣＭであると判定した場合に、合成すべき番組名等をＯＳＤ処理部７へ指示する。
【００３２】
次に、ＯＳＤ処理部７はＣＭ検出部６の指示に応じて番組名等を映像データに合成するＯＳＤ（オンスクリーンディスプレイ）処理を行う。ＯＳＤ処理部７は、ＯＳＤ処理した映像信号を表示部９へ出力する。なお、ＯＳＤ処理部７の合成処理は、ＯＳＤ処理に拠るものとして説明するがこれに限るものではなく、ＣＭの映像データと識別可能に番組名等を表示できれば公知の技術を用いることができる。
【００３３】
図２はＯＳＤ処理部７によって映像データに合成された番組名等の表示形態を示す図である。
【００３４】
図２（ａ）、（ｂ）では共通して「番組名」、「チャンネル番号」、「ＣＭ中」、「番組のサムネイル画像」を表示している。相違点は、図２（ａ）は画面全体に番組名等を表示する例であるのに対して、図２（ｂ）は画面の一部に番組名等を表示する例である点である。図２（ａ）は画面全体を用いて番組名等を表示するため、ＣＭを隠すことができ、また番組名等以外にも番組の詳細情報等を含む多くの情報を表示することができる。図２（ｂ）は画面の一部に番組名等を表示するため、ＣＭを表示しながら補助的に番組名等を表示することができる。
【００３５】
表示する具体的な番組名等の内容は、番組名、番組の開始終了時刻、番組ジャンル、番組の筋書き、出演者名等である。もちろん、このすべてを表示してもよいし、いずれか１つでもよいし、その他の情報を表示させてもよい。また、番組のサムネイル画像は番組情報から取得できる場合に、表示するものとする。また、番組切換の時間帯に番組名を表示する場合は「次の番組は○○です」と表示する。番組名等はテロップ形式で繰り返し表示させてもよい。番組名、チャンネル番号、及びＣＭ中との表示をすることによって、ＣＭ中であることが一見して分かり、またそのＣＭ終了後に放送される番組名を考慮したうえで、他局にチャンネル切換したとしても、表示されたチャンネル番号を頼りに元のチャンネルを選局することが可能である。
【００３６】
以上の処理を経て、スピーカ等である音声出力部８と、モニタ等である表示部９とは、出力された音声データと映像データとを再生し表示する。
【００３７】
以上の構成によるテレビジョン受像機Ｘの動作について、主にＣＭ中にＣＭ後の番組名等を合成して表示する処理に着目して図３に従って説明する。図３は、本実施形態のテレビジョン受像機ＸにおけるＣＭ中にＣＭ後の番組名等を表示する処理のフローチャート図である。
【００３８】
まずステップｓ１において、ＣＭ検出部６は、多重分離部３が出力したその他システムデータのＰＳＩ（番組特定情報）／ＳＩ（番組配列情報）情報のＥＩＴ（Event Information Table）を参照して、番組情報を取得する。
【００３９】
ステップｓ２において、ＣＭ検出部６は上記したＣＭ検出処理に基づいて、表示する映像データがＣＭであるか否かの判定を行う。ＣＭ検出部６は映像データをＣＭであると判定した場合、上記した合成指示処理を行う（ステップｓ２のＹｅｓ）。またＣＭ検出部６は、ＣＭでないと判定した場合は、上記した合成指示処理を行わない（ステップｓ２のＮｏ）。
【００４０】
ステップｓ２でＹｅｓの場合、ステップｓ３において、ＣＭ検出部６は上記した合成指示処理を行う。ＣＭ検出部６は、ＯＳＤ処理部７へ合成処理する番組名等を指示するために、ＣＭ検出処理でＣＭであると判定した時刻が番組切換の時間帯であるかを判断する。ＣＭ検出部６は、番組切換の時間帯であると判断した場合、次番組の番組名等を合成処理するようにＯＳＤ処理部７へ指示する（ステップｓ３のＹｅｓ）。また、ＣＭ検出部６は、番組切換の時間帯でないと判定した場合、現在番組の番組名等を合成処理するようにＯＳＤ処理部７に指示する（ステップｓ３のＮｏ）。
【００４１】
ステップｓ３がＹｅｓの場合、ステップｓ４において、ＯＳＤ処理部７は次番組の番組名等を映像データにＯＳＤ処理した映像信号を表示部９へ出力する。また、ステップｓ３がＮｏの場合、ステップｓ５において、ＯＳＤ処理部７は現在番組の番組名等を映像データにＯＳＤ処理した映像信号を表示部９へ出力する。
【００４２】
ステップｓ６において、表示部９は、ステップｓ２のＮｏ、ステップｓ４又はステップｓ５の処理を経た映像信号を出力表示する。
【００４３】
以上の通り、本実施形態によれば、ＣＭ検出部６は映像データがＣＭであるか否かを判定し、ＣＭであると判定した場合に、ＯＳＤ処理部７はそのＣＭ後に放送する番組名等をＣＭの映像に合成し、表示部９が表示する。その結果、視聴者はＣＭ後に放送される番組を調べる手間を省くことができる。また、視聴者はＣＭ後の番組が分からずＣＭを視聴していたために、他の番組へチャンネルを切換えるタイミングが遅れて、他の番組の一部を見逃す虞を防ぐことができる。なお、予めＣＭであるとの蓋然性の高い場合に番組名等を表示しても同様の効果が得られる。
【００４４】
また、本実施形態によれば、ＣＭ検出部６は、受信した映像データがＣＭであるか否かを常に判定している。そのため、本実施形態のテレビジョン受像機Ｘは、電源投入時やチャンネル切換時に、ＣＭと判定されれば即座に番組名等を合成した映像を表示することができる。さらに、本実施形態のテレビジョン受像機Ｘは、受信した映像がＣＭであると判定した場合のみ番組名等を合成するので、ＣＭでないと判定した映像データ即ち番組の開始時は自動的に番組名等のない映像を表示するため、番組の視聴の際に余計な表示をしない。
【００４５】
なお、本実施形態において、ＣＭ検出部６はテレビジョン受像機ＸのＳＴＣを基にＣＭ検出処理及び合成指示処理を行ったが、映像データのＰＴＳを基にＣＭ検出処理及び合成指示処理を行ってもよい。
【００４６】
また、上記した合成指示処理において、所定時間継続してＣＭであると判定した場合、ＣＭ検出部６は、ＣＭ中であってもＯＳＤ処理部７へ番組名等の合成処理を指示しなくてもよい。この場合、ＣＭ検出部６は、最初に番組名等の合成処理をＯＳＤ処理部７に指示した時刻である合成開始時刻を記憶部１１に記憶させておくものとする。ＣＭ検出部６は、ＣＭであると判定する度に記憶部１１から合成開始時刻を読み出し、合成開始時刻から所定時間経過したかを判断する。ＣＭ検出部６は、所定時間経過していないと判断した場合は、ＯＳＤ処理部７へ番組名等の合成処理を指示し、所定時間経過していると判断した場合は、ＯＳＤ処理部７へ番組名等の合成処理を指示しない。なお、ＣＭ検出部６は、ＣＭでないと判断した場合、チャンネル切換時、及び電源投入時に記憶部１１の合成開始時刻を初期化するものとする。本処理によれば、長時間同じ番組名等が表示されないので煩わしくない。
【００４７】
また、上述した各実施形態において、ＣＭ中にＣＭ後の番組名等を自動的に合成して表示する実施形態を説明したが、もちろん視聴者がリモコン１３を用いて番組名等の表示非表示の操作を行うことも可能である。
【００４８】
本発明は上述した実施の形態に限定されるものではなく、本発明の趣旨を逸脱しない範囲で種々様々に変更が可能であることは言うまでもない。
【産業上の利用可能性】
【００４９】
本発明はテレビジョン放送を受信可能なパーソナルコンピュータや携帯電話機に適用可能である。
【図面の簡単な説明】
【００５０】
【図１】本発明の実施形態１のテレビジョン受像機Ｘの構成ブロック図である。
【図２】本発明の実施形態１の番組名等の表示形態例を示す図である。
【図３】本発明の実施形態１の処理のフローチャート図である。
【符号の説明】
【００５１】
１・・・アンテナ
２・・・チューナー
３・・・多重分離部
４・・・音声処理部
５・・・映像処理部
６・・・ＣＭ検出部
７・・・ＯＳＤ処理部
８・・・音声出力部
９・・・表示部
１０・・制御部
１１・・記憶部
１２・・Ｉ／Ｆ部
１３・・リモコン
Ｘ・・・テレビジョン受像機
【図１】
2009124325.tif 000003
【図２】
2009124325.tif 000004
【図３】
2009124325.tif 000005